(57)【特許請求の範囲】
【請求項１】
カード状の記録媒体をカードホルダーに挿入可能な開口部と、
前記開口部を覆う第１の位置とその第１の位置から記録媒体を挿入する方向と直交する方向に移動した第２の位置とその第２の位置から前記開口部を開放する第３の位置に支軸を支点として回動可能なカード蓋とを備え、
前記カード蓋は、前記第１の位置から第２の位置に移動する際に、前記回動の支点をカード蓋の端方向に移動するよう構成した
カード用蓋開閉装置。
【請求項２】
カード蓋には爪部を有し、前記カード蓋が第１の位置に位置するときには前記爪部がカードホルダーに配されたフック部と係合し、前記カード蓋が第２の位置に位置するときには前記爪部と前記フック部との係合が解除される
請求項１記載のカード用蓋開閉装置。
【請求項３】
カード蓋は、カード蓋が第１の位置及び第２の位置に位置するときに前記支軸をカード蓋の各々の位置に相対的に保持する保持部を備えた
請求項１記載のカード用蓋開閉装置。
【請求項４】
カード状の記録媒体を挿入可能な開口部を有するカードホルダーと、
前記カードホルダーに配された支軸に支持されると共に、前記開口部を覆う第１の位置とその第１の位置から記録媒体を挿入する方向と直交する方向に移動した第２の位置とその第２の位置から前記開口部を開放する第３の位置に前記支軸を支点として回動可能なカード蓋と、
前記カード蓋に形成され前記支軸が挿入可能で前記カード蓋が第１の位置から第２の位置に移動する方向に長孔が形成された支軸用孔と、
前記カード蓋が前記第１の位置と第２の位置に位置するとき前記支軸が前記カード蓋に対して異なる位置に保持する２つの保持部と、前記カード蓋の前記記録媒体に対向する面内で、かつ前記支軸が移動する移動軌跡上に配された突起とを備え、
前記カード蓋は、前記第１の位置から第２の位置に移動する際に、前記回動の支点をカード蓋の端方向に移動するよう構成した
カード用蓋開閉装置。
【発明の詳細な説明】
【０００１】
【発明の属する技術分野】
本発明は各種小型電子機器のカード挿入部におけるカード用蓋開閉装置に関するものである。
【０００２】
【従来の技術】
近年、各種の小型電子機器において小型化、高操作性とともに、更なる高機能化の一端としてカード状の記録媒体であるメモリーカードを媒体として他の機器にデータを転送するニーズが高まっており、デザイン性の向上を含めた高品格化と機器内部やメモリーカードの保護のためカード挿入部に蓋をつける必要が生じている。
【０００３】
しかし、従来の爪をスライドさせる事で蓋のロック、アンロックを行うカード用蓋開閉装置では、蓋の開角度を大きくとりメモリーカードの挿抜のしやすさを確保することと、蓋と本体の隙間を少なくすることは、相反する要求で両立は困難であり、それを解決するカード用蓋開閉装置が必要となっていた。
以下に従来のビデオムービーに使用されているカード用蓋開閉装置について説明する。
【０００４】
図７〜図１２は従来のカード用蓋開閉装置を示す。
図７（ａ）〜（ｃ）において、５０はビデオムービー本体であり、図示しないが内部に被写体を撮像する撮像部、周囲の音を入力するマイク部、撮像部およびマイク部から得られた映像および音声信号をテープ状記録媒体に記録し記録された信号を再生する映像信号記録再生部を有している。
【０００５】
８はカード蓋で、カード状のメモリーカード１４の出し入れに際して開閉操作される。１１はロックピースで、カード蓋８に摺動自在に取り付けられており、このロックピース１１を図７（ａ）の矢印ｉ方向に移動させることによりカード蓋８の回動禁止を解除し、カード蓋８を図７（ｂ）の矢印ｊ方向に回動させ、図７（ｃ）に示すようにメモリーカード１４を矢印ｋ方向に挿入可能状態となる。
【０００６】
具体的には、図８と図９に示すように構成されている。
まず、図８（ａ）において、９は開閉用バネ、１０はロックピース押えバネであり、開閉用バネ９をカード蓋８の凹部５１に矢印ｍ方向に挿入すると共に、ロックピース押えバネ１０をカード蓋８の凹部５２に矢印ｌ方向に挿入されている。
【０００７】
図８（ｂ）において、８ａ，８ｂは支軸用孔、１２は軸であり、ロックピース１１を支軸用孔８ｂに矢印ｎ方向から挿入し、凹部５２に配されたロックピース押えバネ１０に挿入する。軸１２を支軸用孔８ａに矢印ｏ方向から挿入し、凹部５１に配された開閉用バネ９に挿入される。
このように組み立てられたものは、図９と図１０に示すようにメモリーカードカードホルダー１３に組み付けられる。
【０００８】
カードホルダー１３には軸１２が挿入される支軸用孔１３ａが形成されており、カード蓋８を矢印ｐ方向から軸１２を支軸用孔１３ａに挿入し、軸１２の両端をカシメ等で加工して、カードホルダー１３に対してカード蓋８が回動自在となる。
１３ｂはカードホルダー１３に形成されたフック用孔であり、後述するカードホルダー１３に対してカード蓋８が閉じられたときに前記ロックピース１１の先端が係合可能となっている。
【０００９】
このように構成された従来のカード用蓋開閉装置について、動作を説明する。図１１はカードホルダーに対してカード蓋が閉じた状態を示す。
図１１（ｃ）に示すように、カード蓋８は開閉用バネ９の付勢力により矢印ｒ方向である回動方向に荷重を受けているが、この状態では図１１（ｂ）に示すようにロックピース押えバネ１０の付勢力により矢印ｔ方向にロックピース１１を押圧しているのでロックピース１１はフック用孔１３ｂに係合しカード蓋８は回動しない。
【００１０】
図１２はカードホルダー１３に対してカード蓋が移動した状態を示す。
図１２（ａ）に示すように、ロックピース１１を矢印ｑ方向へ移動させると、図１２（ｂ）に示すようにロックピース１１とフック用孔１３ｂの係合が外れる。すると、開閉用バネ９の付勢力でカード蓋８は図１２（ｃ）に示すように軸１２を中心に矢印ｒの方向に回動し、ビデオムービー本体５０とカード蓋８が当接する位置まで開き、メモリーカード１４をカードホルダー１３に対して挿脱可能となる。
【００１１】
【発明が解決しようとする課題】
しかしながら上記の従来の構成では、図１１（ｃ）に示すようにカード蓋８とビデオムービー本体５０の隙間Ｂが狭いため、カード蓋８の開角度が小さくメモリーカード１４の挿入または取り出しがしにくいという問題点を有している。
特に、カードホルダー１３からメモリーカード１４を取り出すときに、カードホルダー１３からメモリーカード１４が突出する量が図１２（ｃ）に示すように少ないため、メモリーカード１４を使用者の指で掴みにくく、メモリーカード１４を取り出しにくいという問題点を有していた。
【００１２】
なお、カード蓋８とビデオムービー本体５０の隙間Ｂを広くすると、この隙間Ｂから異物がビデオムービー本体５０の内部に侵入する可能性が高くなるものである。
本発明は上記従来の問題点を解決するもので、簡単な構成でカード蓋の開角度を十分とり、メモリーカードの挿入または取り出しが容易に行えるカード用蓋開閉装置を提供することを目的とする。
【００１３】
【課題を解決するための手段】
この目的を達成するために本発明のカード用蓋開閉装置では、カード状の記録媒体をカードホルダーに挿入可能な開口部と、前記カードホルダーに配された支軸に支持されると共に、前記開口部を覆う第１の位置とその第１の位置から記録媒体を挿入する方向と直交する方向に移動した第２の位置とその第２の位置から前記開口部を開放する第３の位置に回動可能なカード蓋とを有している。
【００１４】
この本発明によると、カード蓋の開角度を十分とり記録媒体の挿入または取り出しが容易に行えるカード用蓋開閉装置が得られる。
【００１５】
【発明の実施の形態】
本発明の請求項１に記載のカード用蓋開閉装置は、カード状の記録媒体をカードホルダーに挿入可能な開口部と、前記開口部を覆う第１の位置とその第１の位置から記録媒体を挿入する方向と直交する方向に移動した第２の位置とその第２の位置から前記開口部を開放する第３の位置に支軸を支点として回動可能なカード蓋とを備え、前記カード蓋は、前記第１の位置から第２の位置に移動する際に、前記回動の支点をカード蓋の端方向に移動するよう構成したことを特徴とする。
【００１６】
この構成によると、カード蓋が開口部を覆う第１の位置とその第１の位置から記録媒体を挿入する方向と直交する方向に移動した第２の位置とその第２の位置から開口部を開放する第３の位置に回動可能とすることにより、カード蓋の回動支点である支軸を装置本体から離間させ回動角度を大きくするという作用を有する。
【００１７】
本発明の請求項２に記載のカード用蓋開閉装置は、請求項１において、カード蓋には爪部を有し、前記カード蓋が第１の位置に位置するときには前記爪部がカードホルダーに配されたフック部と係合し、前記カード蓋が第２の位置に位置するときには前記爪部と前記フック部との係合が解除されるように構成したことを特徴とする。
【００１８】
この構成によると、カード蓋が第１の位置に位置するときに爪部がフック部と係合しカード蓋が第１の位置を保持することが出来るという作用を有する。
本発明の請求項３に記載のカード用蓋開閉装置は、請求項１において、カード蓋は、カード蓋が第１の位置及び第２の位置に位置するときに前記支軸をカード蓋の各々の位置に相対的に保持する保持部を備えたことを特徴とする。
【００１９】
この構成によると、カード蓋を第１の位置及び第２の位置の各々の位置に保持することが出来るという作用を有する。
本発明の請求項４に記載のカード用蓋開閉装置は、カード状の記録媒体を挿入可能な開口部を有するカードホルダーと、前記カードホルダーに配された支軸に支持されると共に、前記開口部を覆う第１の位置とその第１の位置から記録媒体を挿入する方向と直交する方向に移動した第２の位置とその第２の位置から前記開口部を開放する第３の位置に前記支軸を支点として回動可能なカード蓋と、
前記カード蓋に形成され前記支軸が挿入可能で前記カード蓋が第１の位置から第２の位置に移動する方向に長孔が形成された支軸用孔と、前記カード蓋が前記第１の位置と第２の位置に位置するとき前記支軸が前記カード蓋に対して異なる位置に保持する２つの保持部と、前記カード蓋の前記記録媒体に対向する面内で、かつ前記支軸が移動する移動軌跡上に配された突起とを備え、前記カード蓋は、前記第１の位置から第２の位置に移動する際に、前記回動の支点をカード蓋の端方向に移動するよう構成したことを特徴とする。
【００２０】
この構成によると、カード蓋が開口部を覆う第１の位置とその第１の位置から記録媒体を挿入する方向と直交する方向に移動した第２の位置とその第２の位置から開口部を開放する第３の位置に回動可能とすることにより、カード蓋の回動支点である支軸を装置本体から離間させ回動角度を大きくするという作用を有し、さらに、支軸用孔と突起によりカード蓋が第１の位置と第２の位置に位置するとき支軸がカード蓋を異なる位置に保持できるという作用を有する。
【００２１】
以下、本発明の実施の形態を図１〜図６に基づいて説明する。
図１（ａ）〜（ｃ）において、２０はビデオムービー本体であり、図示しないが内部に被写体を撮像する撮像部、周囲の音を入力するマイク部、撮像部およびマイク部から得られた映像および音声信号をテープ状記録媒体に記録し記録された信号を再生する映像信号記録再生部を有している。１はカード蓋であり、カード用蓋開閉装置の一部を構成している。６はメモリーカードである。
【００２２】
本発明のカード用蓋開閉装置では、カード蓋１を図１（ａ）の矢印ａ方向に移動させることによりカード蓋１の回動禁止が解除され、カード蓋１が図１（ｂ）の矢印ｂ方向に回動して、図１（ｃ）に示すようにメモリーカード６を矢印ｃ方向に挿入可能な状態となる。
具体的には、図２〜図４に示すようにして組み立てられている。
【００２３】
図２（ａ）において、３は開閉用バネであり、開閉用バネ３をカード蓋１の凹部２１に矢印ｄ方向に挿入されている。図２（ｂ）に示す４はカード蓋１の回動軸となる支軸で、この支軸４の長さはカード蓋１の長手方向の長さより長くなっている。２ｅはカード蓋１の長手方向の複数箇所に形成され前記支軸４が挿入される支軸用孔で、支軸用孔２ｅはカード蓋１の短手方向に長孔となっており、端部２ｂ，２ｃ間を支軸４が移動可能となっている。
【００２４】
支軸用孔２ｅの一端２ｂはカード蓋１が開いている時、支軸用孔２ｅの他端２ｃはカード蓋１が閉じている時に支軸４を各々の位置に保持する保持部である。２ｄは突起で、カード蓋１のメモリーカード６に対向する面内に前記支軸４が２つの保持部２ｂ，２ｃを移動する移動軌跡上に配されている。突起２ｄの形状は、保持部２ｂ，２ｃの側に傾斜面を有する山形に成形されている。
【００２５】
２ａはカード蓋１に形成された爪である。支軸４を保持部２ｂに矢印ｅ方向から挿入し、凹部２１に配された開閉用バネ３に挿入する。
このように組み立てられたものは、図３と図４に示すようにメモリーカードカードホルダー５に組み付けられる。
図３において、メモリーカード６が装着可能な開口部５ｃを有するカードホルダー５には、支軸４が挿入される２つの支軸用孔５ａが形成され、カード蓋１の支軸４を矢印ｆ方向から支軸用孔５ａに挿入し、支軸４の両端をカシメ等で加工して、カードホルダー５に対してカード蓋１が図４に示すように支軸４を中心に回動自在となる。
【００２６】
ここで、開閉用バネ３の一端はカード蓋１の凹部２１の壁面に当接し、他端はカードホルダー５の開口部５ｃ近傍の壁面５ｄに当接し、開閉用バネ３の付勢力によりカード蓋１はカードホルダー５に対して開口部５ｃを開放する方向に付勢力を受けている。
また、カードホルダー５にはカード蓋１の爪２ａが係合可能にフック部５ｂが形成されており、フック部５ｂと爪２ａとが係合したときには、開閉用バネ３の付勢力によってカード蓋１が開放されないようにロックされる。
【００２７】
このように構成された本発明のカード用蓋開閉装置の実施の形態について、以下その動作について図５を用いて説明する。
図５（ａ）〜（ｄ）はカードホルダー５に対してカード蓋１が閉じた状態から回動して開いた状態への過程を示す。
図５（ａ）はカードホルダー５に対してカード蓋１が閉じた状態を示す。図６はカードホルダー５側からカード蓋１を見たもので、図６（ａ）はカードホルダー５に対してカード蓋１が閉じた状態である。
【００２８】
この図５（ａ）及び図６（ａ）において、支軸４は突起２ｄと当接することにより、支軸用孔２ｅの保持部２ｃに位置している。カード蓋１は開閉用バネ３の付勢力に抗して爪２ａがカードホルダー５のフック部５ｂと係合し、カードホルダー５の開口部５ｃを覆う第１の位置に保持されている。この第１の位置ではカード蓋１とビデオムービー本体２０との隙間Ａは限りなく狭く設定されており、この隙間Ａから異物等がビデオムービー本体２０内に侵入する可能性は低くなるものである。
【００２９】
図５（ａ）に示す第１の位置からカード蓋１をメモリーカード６を挿入する方向と直交する方向である矢印ａ方向に移動しようとすると、支軸４を保持している保持部２ｃから支軸４が支軸用孔２ｅの内壁に沿ってカード蓋１をわずかに変形させながら突起２ｄが支軸４を乗り越えて移動する。この時、カード蓋１の爪２ａはカードホルダー５のフック部５ｂとの係合が徐々に解除される。この状態が図５（ｂ）の模式図である。
【００３０】
図５（ｂ）の位置からカード蓋１を更に矢印ａ方向に移動させると図５（ｃ）及び図６（ｂ）に示す第２の位置になり、支軸４は保持部２ｂに相対的に移動し、支軸４は突起２ｄと当接することにより、支軸用孔２ｅの保持部２ｂに保持される。また、カード蓋１の爪２ａはカードホルダー５のフック部５ｂとの係合が完全に解除された状態になる。
【００３１】
ここで、爪２ａとカードホルダー５のフック部５ｂの係合が外れると、カード蓋１は、開閉用バネ３の付勢力により支軸４を回動中心として矢印ｂの方向に開きビデオムービー本体２０と当接する図５（ｄ）に示す第３の位置まで開き、メモリーカード６をカードホルダー５に対して挿入および取り出しが可能となる。特に、カードホルダー５からメモリーカード６を取り出すとき、カードホルダー５からメモリーカード６が突出する量が図５（ｄ）に示すように少ない場合でも、カード蓋１のカードホルダー５に対する開角度を大きくすることによりメモリーカード６を使用者の指で掴みやすく、メモリーカード６を取り出し易いという効果が得られるものである。
【００３２】
以上のように本実施の形態によれば、カード蓋１が開くときの回転中心である支軸４が第１の位置から第２の位置の距離だけビデオムービー本体２０と離れた位置に設定できるため、ビデオムービー本体２０とカード蓋１の隙間Ａを広げることなく充分な開角度を確保することが出来る。つまり、カード蓋１が開口部５ｃを覆う第１の位置とその第１の位置から記録媒体を挿入する方向と直交する方向に移動した第２の位置とその第２の位置から開口部５ｃを開放する第３の位置に回動可能とすることにより、カード蓋１の回動支点である支軸４をビデオムービー２０から離間させ回動角度を大きくすることができる。
【００３３】
また、２つの保持部２ｂと２ｃと、保持部２ｂと２ｃを連通し支軸４を案内する支軸用孔２ｅと、支軸４が２つの保持部２ｂ，２ｃの間を移動する移動軌跡上に形成された突起２ｄとにより、カード蓋１が第１の位置と第２の位置に位置するとき支軸４がカード蓋１に対して異なる位置に保持することが出来る。
また、カード蓋１の開閉動作のみでカード蓋１のロックを行うことが出来、ロック解除のためだけの操作が必要なく操作性が向上し、カード蓋１をロックさせるためだけに作用する別部品が必要なく簡単な構成となっている。
【００３４】
上記の実施の形態において、第１の位置のカード蓋１が支軸用孔２ｅの長手方向に移動させる際に必要な操作力の大きさは、支軸４の弾性と突起２ｄの高さの少なくとも何れかの設定を変更することによって調整できる。
【００３５】
【発明の効果】
以上のように本発明は、カード状の記録媒体をカードホルダーに挿入可能な開口部と、前記開口部を覆う第１の位置とその第１の位置から記録媒体を挿入する方向と直交する方向に移動した第２の位置とその第２の位置から前記開口部を開放する第３の位置に支軸を支点として回動可能なカード蓋とを備え、前記カード蓋は、前記第１の位置から第２の位置に移動する際に、前記回動の支点をカード蓋の端方向に移動するよう構成したため、簡単な構成でカード蓋の開角度を十分とりカード状の記録媒体の挿抜をし易くできるものである。
【図面の簡単な説明】
【図１】本発明の実施の形態におけるカード用蓋開閉装置がビデオムービーに使用されている状態を示す斜視図
【図２】同実施の形態におけるカード用蓋開閉装置の組立工程を示す斜視図
【図３】同実施の形態におけるカード用蓋開閉装置の組立工程を示す斜視図
【図４】同実施の形態におけるカード用蓋開閉装置の組立工程を示す斜視図
【図５】同実施の形態におけるカード用蓋開閉装置の動作説明のための模式図
【図６】同実施の形態におけるカード用蓋開閉装置の動作説明のための模式図
【図７】従来のカード用蓋開閉装置がビデオムービーに使用されている状態を示す斜視図
【図８】従来のカード用蓋開閉装置の組立工程を示す斜視図
【図９】従来のカード用蓋開閉装置の組立工程を示す斜視図
【図１０】従来のカード用蓋開閉装置の外観斜視図
【図１１】従来のカード用蓋開閉装置の動作説明のための模式図
【図１２】従来のカード用蓋開閉装置の動作説明のための模式図
【符号の説明】
１  カード蓋
２ａ  爪
２ｂ  保持部
２ｃ  保持部
２ｄ  突起
２ｅ  支軸用孔
４    軸
５    カードホルダー
５ｂ  フック部
５ｃ  開口部
６    メモリーカード
２０  ビデオムービー本体
【図１】
0003542302.tif 000002
【図２】
0003542302.tif 000003
【図３】
0003542302.tif 000004
【図４】
0003542302.tif 000005
【図５】
0003542302.tif 000006
【図６】
0003542302.tif 000007
【図７】
0003542302.tif 000008
【図８】
0003542302.tif 000009
【図９】
0003542302.tif 000010
【図１０】
0003542302.tif 000011
【図１１】
0003542302.tif 000012
【図１２】
0003542302.tif 000013